(57)【要約】  ボードブック用の本の見開きを識別する装置を提供し、前記装置は、複数の導電性パスを含み、接点手段は、少なくとも１つの導電性パスの少なくとも一部分に隣接して配置され、プロセス手段は導電性パスとつながっており、導電性パスに関連する信号を処理するために構成される。各パスの選別端の１つは、本の背表面に隣接して配置されている。前記接点手段は、見開きへ本を開くときに、１以上の導電性パスの複数の組み合わせの１つと接触して配置される、１以上の導電表面を含む。複数の組み合わせは、それぞれ、本の１つの見開きに関連する予め定められた独自のものである。処理した信号から、プロセス手段は、接点手段により接触した導電性パスの特定の組み合わせを判断することができ、本が開いた見開きを識別することができる。
2009506905.tif 000002
【特許請求の範囲】
【請求項１】
背を有しているボードブック用の本の見開きを識別する装置であって、
上記装置は、
各パスの選別端の１つが本の背表面に隣接して配置された、複数の導電性パスと、
少なくとも１つの導電性パスの少なくとも一部分に隣接して配置され、且つ、見開きへ本を開くときに、本の見開きそれぞれと予め定められた独自の関係を有する、１以上の導電性パスの複数の組み合わせの１つと接触して配置される、１以上の導電表面を含む接点手段と、
前記接点手段により接触された導電性パスの組み合わせを判断し、且つ開いた本の見開きを識別するように、導電性パスに関連する信号を処理するために構成される、導電性パスにつながったプロセス手段とを含む、装置。
【請求項２】
前記接点手段は、隣接した選別端のパスを接触するように配置され、
各パスの他のプロセス端は前記プロセス手段につながっており、
前記接点手段の上記配置は、接点手段の少なくとも１つの導電表面と１以上の導電性パスの複数の各組み合わせとの間の接触が、プロセス手段に関連する１以上の回路の予め定められた独自の組み合わせを閉じるようになされ、
前記プロセス手段は、閉じた回路の組み合わせを判断し、対応する見開きを識別する、請求項１に記載の装置。
【請求項３】
前記接点手段は、接点手段による接触が共通電位の下で、接触したパスの特定の組み合わせをもたらすように、予め定められた共通電位に維持される、請求項２に記載の装置。
【請求項４】
少なくとも１つの前記複数の導電性パスは独自の長さを有し、少なくとも部分的に、前記本の背表面の中にまたは背表面と平行して配置される、請求項３に記載の装置。
【請求項５】
前記接点手段は、少なくともいくつかの見開きへ本を開くときに、導電性パスの対応する独自の組み合わせとの接触をもたらすように、本の背表面を越えて突き出して配置される少なくとも第１の導電性ストリップを含む、請求項２に記載の装置。
【請求項６】
さらに前記接点手段は、第１の導電性ストリップと電気的につながっている第２の導電性ストリップを含み、
前記第２のストリップは、少なくともいくつかの見開きへ本を開くときに、対応する導電性パスの独自の組み合わせとの接触をもたらすように、本の背表面を越えて突き出して、第１の導電性ストリップを有しているその側面の反対の、本の側面に配置される、請求項５に記載の装置。
【請求項７】
前記導電性パスは２つの組に分割され、前記各導電性ストリップは１つの組のパスのみと接触して配置される、請求項６に記載の装置。
【請求項８】
前記本のフロントページに位置した前記導電性ストリップは、本の第１半分における見開きへ本を開くときに、各見開きのフロントページの後方の端上に配置されたパスと接触して配置され、
前記本のバックページに位置した導電性ストリップは、本の第２半分における見開きへ本を開くときに、各見開きのバックページの後方の端上のパスと接触して配置される、請求項７に記載の装置。
【請求項９】
前記導電性パスは、本のフロントページもしくはカバーの中に部分的に広がって、または本のフロントページもしくはカバーと平行に配置され、
本のバックページに関連する導電性ストリップとの接触のために構成されたパスの選別端、および、本のフロントページに関連する導電性ストリップとの接触のために構成されたパスが、導電性ストリップに関連する導電性パスに対して対称的に配置される、請求項８に記載の装置。
【請求項１０】
少なくとも１つの前記導電性パスは、本に取り付けられた柔軟で薄いフィルムの上に配置された導電性トレースを含み、少なくとも部分的に、銀、銀インク、炭素、または他の導電性材料で形成される、請求項２に記載の装置。
【請求項１１】
前記プロセス手段は少なくとも１つの集積回路を含む、請求項１０に記載の装置。
【請求項１２】
前記複数の各パスは、予め定められた独自の抵抗を有しており、
前記接点手段は、見開きへ本を開くときに、前記パスの抵抗を測定し、対応する見開きを識別できるように、プロセス手段を前記パスのプロセス端と前記接点手段とにつなげるため、導電性パスの１つの組み合わせにおける導電性パスの選別端と接触するように配置される、請求項２に記載の装置。
【請求項１３】
前記複数のパスは、少なくとも一部が、本の背の長さ方向に沿って配置されている、請求項１２に記載の装置。
【請求項１４】
前記複数の各パスの独自の抵抗は、少なくとも部分的に、その独自の長さ、厚さ、幅および／または材料により定められる、請求項１２に記載の装置。
【請求項１５】
前記少なくともいくつかの導電性パスの選別端は、少なくとも１つのゼブラタイプコネクターとつながっており、
前記接点手段は複数の組の導電表面を含み、
前記組は、本の背表面の中にまたは背表面と平行して配置され、且つ特定の見開きへ本を開くときに、少なくとも１つのゼブラタイプコネクターの少なくとも１つを介して、少なくとも１つの組がパスの予め定められた独自の組み合わせと接触するように配置される、請求項２に記載の装置。
【請求項１６】
特定の見開へ本を開くときに、少なくとも１つの導電表面が、プロセス手段に関連する独自の回路を閉じるために、少なくとも１つの導電表面が、それらの選別端と近接する２つのパスの独自の組み合わせと接触できるように、前記接点手段は、本の背表面の中にまたは背表面と平行に配置された複数の導電表面を含む、請求項２に記載の装置。
【請求項１７】
回路の独自の各組み合わせは、独自の抵抗により特徴付けられ、
各組み合わせの前記独自の抵抗は、少なくとも部分的に、前記組み合わせに含まれる少なくとも１つの導電性パスの独自の長さ、厚さ、幅および／または材料により特徴付けられる、請求項２に記載の装置。
【請求項１８】
複数の導電表面は、本の背表面の中に広がって、または本の背表面と平行になり、且つ特定の見開きへ本を開くときに、少なくとも１つの前記表面が、前記プロセス手段に関係する独自の回路を定めるために、１以上のパスの独自の組み合わせと隣接したパスの選別端と接触できるように配置され、
各回路は、独自の予め定められた抵抗を有しており、
前記プロセス手段は、回路の抵抗を測定し、それに対応する見開きを識別するように配置される、請求項１７に記載の装置。
【請求項１９】
ボードブック用の本の見開きを識別する装置であって、
上記装置は、
少なくとも前記各パスの選別端が本の背表面に隣接して配置された、複数の導電性パスと、
少なくとも１つの導電性パスの選別端に隣接して配置され、且つ見開きへ本を開くときに、少なくとも１つの表面が定められた長さの１つの導電性パスと接触するように配置される１以上の導電性パスを含む導電性パスに沿って電気的パルスを送信し、その帰路パルスを受信するように含まれる接点手段と、
対応する、開かれた本の見開きを判断するために、パルスの帰路時間を算出し、移動した長さを測定し、特定の導電性パスを識別するように構成され、且つ前記導電性表面につながっているプロセス手段とを含む、装置。
【請求項２０】
奇数の見開きで成り立っている本ならば、スペーサーが、オフセットを指し込むように挿入され、中央見開きページに本を開いたときに、前記接点手段が少なくとも１つの導電性パスと接触する、請求項１に記載の装置。
【請求項２１】
前記プロセス手段は、見開きを識別するときに、見開きに関連する少なくとも１つの音声、映像または音声／映像表現を引き起こし、
前記表現は、少なくとも１つのテキストを読むこと、歌を歌うこと、音楽を演奏すること、本に関連するスクリーンに映像を表示すること、および、本に関連する機械構造の内部の部分の機械的な動きを作動させることを含んでいる、請求項１に記載の装置。
【発明の詳細な説明】
【発明の詳細な説明】
【０００１】
〔発明の分野〕
本発明は、本用のページ／見開きを識別する装置、特にボードブック用のページ／見開きを識別する装置に関連する。
【０００２】
〔発明の背景〕
開いた本のページ／見開きを識別することは、識別により、本を使う人が特定のページ／見開きの内容に応じて選択してやりとりすることができるので、とても役立つ。特に子供用のボードブックに評判のいい１つの応用は、本を使う人に音声／映像表現をすることである。この場合、特定の見開きへ本を広げることにより、見開きのページの内容に関連する、記録された、表示された物体の名前の発音、記録された、ページに表示したテキストの朗読、記録された歌もしくは他の音声／映像効果を引き起こすことができる。
【０００３】
ページ／見開きを識別するための様々なシステムが開発されている。１つのシステムは、ページをめくる時に、ページに含まれる磁気記号を検出するために構成された磁気記号センサーを含んでいる（Song、米国特許第６,７６３,９９５号明細書）。そのシステムは分厚く、小さな子供にとって安全上の問題がある、ページの中に挿入した磁気を必然的に含む。もう１つ別のシステムは、本のリーフ内部の通路に挿入した感度の良いスイッチを使用者が繰り返し押圧することに依存している（Maddrellら、米国特許第５，８０３，７４８号明細書、および、米国特許第６，０４１，２１５号明細書）。さらなるシステムは、各シートに貼った柔軟性のセンサーを用いて、シートで使用者のやりとりを識別する（May、米国特許第６，４９１，２２０号明細書）。提案されている別のシステムは、ページの端に付着した識別ラベルを含んでいる（Li、米国特許第５，６３１，８８３号明細書）。接点プレートを押し下げて、識別ラベルと接触させ、対応するページの識別を引き起こす。また、各ページに印刷した識別コードを読み込むための外部光学装置を用いるシステムが提案されている（Aronsら、米国特許第６，７２９，５４３号明細書）。
【０００４】
上記システムの装置は、多少複雑であるか（米国特許第６,７６３,９９５号明細書、米国特許第６，４９１，２２０号明細書、および、米国特許６，７２９，５４３号明細書）、ページを識別することにおいて使用者の関与を要求するか（米国特許第５，８０３，７４８号明細書、米国特許第６，０４１，２１５号明細書、および、米国特許第５，６３１，８８３明細書）のどれかである。
【０００５】
従って、特定の見開きへ自動的に本を開くように、簡単で信頼できるシステムが設計されれば、好ましいであろう。
【０００６】
〔発明の概要〕
発明によれば、背を有しているボードブック用の本の見開きを識別する装置であって、
上記装置は、
各パスの選別端の１つが本の背表面に隣接して配置された、複数の導電性パスと、
少なくとも１つの導電性パスの少なくとも一部分に隣接して配置され、且つ、見開きへ本を開くときに、本の見開きそれぞれと予め定められた独自の関係を有する、１以上の導電性パスの複数の組み合わせの１つと接触して配置される、１以上の導電表面を含む接点手段と、
前記接点手段により接触された導電性パスの組み合わせを判断し、且つ開いた本の見開きを識別するように、導電性パスに関連する信号を処理するために構成される、導電性パスにつながったプロセス手段とを含む。
【０００７】
前記プロセス手段は、見開きを識別するときに、見開きに関連する少なくとも１つの音声、映像または音声／映像表現を引き起こし、
前記表現は、少なくとも１つのテキストを読むこと、歌を歌うこと、音楽を演奏すること、本に関連するスクリーンに映像を表示すること、および、本に関連する機械構造の内部の部分の機械的な動きを作動させることを含んでいることが好ましい。
【０００８】
さらなる本発明によれば、前記接点手段は、隣接した選別端のパスを接触するように配置され、
各パスの他のプロセス端は前記プロセス手段につながっており、
前記接点手段の上記配置は、接点手段の少なくとも１つの導電表面と１以上の導電性パスの複数の各組み合わせとの間の接触が、プロセス手段に関連する１以上の回路の予め定められた独自の組み合わせを閉じるようになされ、
前記プロセス手段は、閉じた回路の組み合わせを判断し、対応する見開きを識別する。
【０００９】
奇数の見開きで成り立っている本ならば、スペーサーが、オフセットを指し込むように挿入され、中央見開きページに本を開いたときに、前記接点手段が少なくとも１つの導電性パスと接触することが好ましい。
【００１０】
本発明の１つの実施の形態では、前記接点手段は、接点手段による接触が共通電位の下で、接触したパスの特定の組み合わせをもたらすように、予め定められた共通電位に維持される。
【００１１】
少なくとも１つの前記複数の導電性パスは独自の長さを有し、少なくとも部分的に、前記本の背表面の中にまたは背表面と平行して配置されることが好ましい。
【００１２】
前記接点手段は、少なくともいくつかの見開きへ本を開くときに、導電性パスの対応する独自の組み合わせとの接触をもたらすように、本の背表面を越えて突き出して配置される少なくとも第１の導電性ストリップを含むことが好ましい。
【００１３】
さらに前記接点手段は、第１の導電性ストリップと電気的につながっている第２の導電性ストリップを含み、
前記第２のストリップは、少なくともいくつかの見開きへ本を開くときに、対応する導電性パスの独自の組み合わせとの接触をもたらすように、本の背表面を越えて突き出して、第１の導電性ストリップを有しているその側面の反対の、本の側面に配置されることがより好ましい。
【００１４】
前記導電性パスは２つの組に分割され、前記各導電性ストリップは１つの組のパスのみと接触して配置されることがより一層好ましい。
【００１５】
前記本のフロントページに位置した前記導電性ストリップは、本の第１半分における見開きへ本を開くときに、各見開きのフロントページの後方の端上に配置されたパスと接触して配置され、
前記本のバックページに位置した導電性ストリップは、本の第２半分における見開きへ本を開くときに、各見開きのバックページの後方の端上のパスと接触して配置されることがより一層好ましい。
【００１６】
前記導電性パスは、本のフロントページもしくはカバーの中に部分的に広がって、または本のフロントページもしくはカバーと平行に配置され、
本のバックページに関連する導電性ストリップとの接触のために構成されたパスの選別端は、前記本のフロントページに関連する前記導電性ストリップと接触させるために構成される前記パスの選別端よりもさらに広がって配置されることがより一層好ましい。
【００１７】
前記導電性パスは、本のフロントページもしくはカバーの中に部分的に広がって、または本のフロントページもしくはカバーと平行に配置され、
本のバックページに関連する導電性ストリップとの接触のために構成されたパスの選別端、および、本のフロントページに関連する導電性ストリップとの接触のために構成されたパスが、導電性ストリップに関連する導電性パスに対して対称的に配置されることがより一層好ましい。
【００１８】
少なくとも１つの前記導電性パスは、本に取り付けられた柔軟で薄いフィルムの上に配置された導電性トレースを含み、少なくとも部分的に、銀、銀インク、炭素、または他の導電性材料で形成されることがより一層好ましい。
【００１９】
前記プロセス手段は少なくとも１つの集積回路を含むことがより一層好ましい。
【００２０】
本発明の第２の実施の形態によれば、前記複数の各パスは、予め定められた独自の抵抗を有しており、
前記接点手段は、見開きへ本を開くときに、前記パスの抵抗を測定し、対応する見開きを識別できるように、プロセス手段を前記パスのプロセス端と前記接点手段とにつなげるため、１つの導電性パスと接触するように配置される。
【００２１】
前記複数のパスは、少なくとも一部が、本の背の長さ方向に沿って配置されていることが好ましい。
【００２２】
前記複数の各パスの独自の抵抗は、少なくとも部分的に、その独自の長さ、厚さ、幅および／または材料により定められることがより好ましい。
【００２３】
本発明の第３の実施の形態によれば、少なくともいくつかの前記導電性パスの選別端は、少なくとも１つのゼブラタイプコネクターとつながっており、
前記接点手段は複数の組の導電表面を含み、
前記組は、本の背表面の中にまたは背表面と平行して配置され、且つ特定の見開きへ本を開くときに、少なくとも１つのゼブラタイプコネクターの少なくとも１つを介して、少なくとも１つの組がパスの予め定められた独自の組み合わせと接触するように配置される。
【００２４】
本発明の他の実施の形態によれば、特定の見開へ本を開くときに、少なくとも１つの導電表面が、プロセス手段に関連する独自の回路を閉じるために、少なくとも１つの導電表面が、それらの選別端と近接する２つのパスの独自の組み合わせと接触できるように、前記接点手段は、本の背表面の中にまたは背表面と平行に配置された複数の導電表面を含む。
【００２５】
本発明のさらなる実施の形態によれば、回路の独自の各組み合わせは、独自の抵抗により特徴付けられ、
各組み合わせの前記独自の抵抗は、少なくとも部分的に、前記組み合わせに含まれる少なくとも１つの導電性パスの独自の長さ、厚さ、幅および／または材料により特徴付けられる。
【００２６】
複数の導電表面は、本の背表面の中に広がって、または本の背表面と平行になり、且つ特定の見開きへ本を開くときに、少なくとも１つの前記表面が、前記プロセス手段に関係する独自の回路を定めるために、１以上のパスの独自の組み合わせと隣接したパスの選別端と接触できるように配置され、
各回路は、独自の予め定められた抵抗を有しており、
前記プロセス手段は、回路の抵抗を測定し、それに対応する見開きを識別するように配置されることが好ましい。
【００２７】
本発明のさらに別の実施の形態によれば、ボードブック用の本の見開きを識別する装置であって、
上記装置は、
少なくとも前記各パスの選別端が本の背表面に隣接して配置された、複数の導電性パスと、
少なくとも１つの導電性パスの選別端に隣接して配置され、且つ見開きへ本を開くときに、少なくとも１つの表面が定められた長さの１つの導電性パスと接触するように配置される１以上の導電性パスを含む導電性パスに沿って電気的パルスを送信し、その帰路パルスを受信するように構成される接点手段と、
対応する、開かれた本の見開きを判断するために、パルスの帰路時間を算出し、移動した長さを測定し、特定の導電性パスを識別するように構成され、且つ前記導電性表面につながっているプロセス手段とを含む。
【００２８】
〔図面の簡単な説明〕
本発明の好ましい実施の形態は、実施例のみ、および、添付の図を参照により説明されるであろう。
【００２９】
図１は、本発明の第１実施の形態による、本の見開きを識別する装置における、導電性ストリップと導電性パスの１つの形状との相互作用を示す概略斜視図である。
【００３０】
図２は、本発明の第１実施の形態による、本の見開きを識別する装置の性質を持つ導電性パスの２種類の形状を示す概略図である。
【００３１】
図３は、本発明の第１実施の形態による本の見開きを識別する装置を有している本の背表面の概略側面図であって、導電性パスは図２に示された第２の形状である。
【００３２】
図４は、本発明の第１実施の形態による本の見開きを識別する装置における本の背表面において、２つの導電性パスと２つの導電性トレースとの電位相互作用を示す概略斜視図である。
【００３３】
図５は、本発明の第１実施の形態による、本の見開きを識別する装置の性質を持つ導電性パスのもう１つ別の形状を示す概略図である。
【００３４】
図６は、本発明の第１実施の形態による本の見開きを識別する装置を有している本の背表面を示す概略斜視図であって、導電性パスは図５に示された第２の形状である。
【００３５】
図７は、本発明の第１実施の形態による本の見開きを識別する装置を示す概略斜視図であって、導電性パスは第３の形状である。
【００３６】
図８は、本発明の第２実施の形態による、本の見開きを識別する装置を示す概略斜視図である。
【００３７】
図９は、本発明の第３実施の形態による、本の見開きを識別する装置を示す概略斜視図である。
【００３８】
図１０は、本発明の第４実施の形態による、本の見開きを識別する装置を示す概略斜視図である。
【００３９】
〔本発明の好ましい実施の形態の詳細な説明〕
図１〜１０に説明されたように、ボードブック１用の本の見開きを識別する装置は、複数の導電性パス２、および、１以上の導電表面を有している接点手段を含む。前記導電表面は、導電性ストリップ３（図１）の端もしくは周囲表面、または、接点エリア４（図８）によって定められ、導電性パスの１つの端に隣接して配置される。１以上の集積回路（ＩＣ）５を含むプロセス手段は、導電性ストリップと導電性パスの両方につながっている。２つの集積回路を利用するとすれば、集積回路の１つを本のカバーページの１つに形成し、もう１つ別の集積回路を他のカバーページに形成する。前記集積回路は、導電性パスに関連するプロセス信号のために構成される。
【００４０】
用語「接点表面」または「導電表面」に対して説明する。専門用語において、接点手段の目的は、接点の「箇所」を提供することであるが、実際の用途に関して常に信頼できる接点を実現するためには、接点エリアは、用途に基づいて、予め定められた最小エリアよりも大きくすべきであると認識される。従って、前記用途の全てに、接点手段を導電／接点「表面」として言い、導電／接点「箇所」とは言わない。
【００４１】
全ての図、特に図１に見られるように、導電性パス２の一部は、常に、本の背表面６に、または、その近くに位置している。さらなる説明において、隣接した本の背表面および接点手段の導電性パスの端は、選別端（selection end）と呼ばれ、一方、他の端は、ほとんどの実施の形態では、前記他の端がプロセス手段とつながっているので、「プロセス端（processing end）」と呼ばれる。
【００４２】
図１に説明されたように、導電性ストリップ３の１つの接点表面は、ある見開きへ本を開くと、１以上の導電性パスの組み合わせと接触するように配置される。複数の組み合わせは、それぞれ、本の異なる見開きに関連する、予め定められた独自のものである。従って、処理した電気信号に基づいて、ＩＣ５は、接点手段により接触した導電性パスの特定の組み合わせを判断し、開いた本の見開きを識別することができる。
【００４３】
図１〜７に説明された実施の形態では、同じ電位を維持するように、お互いに電気的につながっている２つの導電性ストリップ３がある。前記導電性ストリップ３の内の１つは本のフロントページ７に取り付けられ、もう１つは本のバックページ８に取り付けられる。これらの両方は、導電性パスの予め定められた独自の組み合わせとの接触をもたらすように、例えば背表面を越えて突き出るように、取り付けられる。また、もちろん１つのストリップまたは２つよりも多い導電性ストリップの使用を、他の形状の導電表面の使用と同様に想定することができる。それに加えて、前記ストリップを、本の最も外側のページに取り付ける必要がない。これらを多数のページに取り付けてもよいし、本のカバーの一部であってもよいし、または、さらに外部から本に取り付けてもよい。同様に、前述の説明において、導電性パスおよび接点手段との相互作用を、本の背表面になるように定められ、これは厳密に制限していることを考慮せず、背の付近、例えば本のカバーに位置した任意の形状もまた本発明の範囲内である。
【００４４】
図１の実施の形態における特定の識別機構は、接点表面が１以上の導電性パスの組み合わせと接触するときに、ＩＣ５に関連する１以上の回路の予め定められた独自の組み合わせを接点表面が閉じるという事実に関連する。導電性ストリップ３は接地９とつながっており、また、接触したパスの特定の組み合わせと接触してつながっている。また、前記パスは、接地とつながっている。ＩＣは、前記つながったパスから受け取った電気信号を処理し、閉じた回路の組み合わせを判断し、対応する見開きを識別するように配置される。
【００４５】
図１〜４に説明された特定の実施の形態では、導電性パスは、独自の長さを持つ。導電性ストリップ３の１つは、本のフロントページに関連し、もう１つはバックページに関連する。両方のストリップは、本を開くときに、それぞれの導電性パスと接触させるように、本の背表面から突き出ている。導電性ストリップと導電性パスとの間の良好電気的接触のために、前記本は、特定の見開きに向かって、ほぼ完全に開くようにしなければならないということが明らかである。従って、前述の説明において、表現「本を開く」および類似の表現は、導電性ストリップ３が本の背表面６に配置されたそれぞれの導電性パスと接触する程度まで本を開く、ということを示唆すると思われる。
【００４６】
図２において示したように、１つの組のパスを、１つの導電性ストリップのみと接触するように配置するように、いくつかの好ましい実施の形態に示した導電性パスは、形式的に２つのセット（２および２’と印した）に分類される。図１で説明された実施の形態では、前記接触しているストリップ（contacting stripe）の１つ（本のフロントページ７に関連するもの）は、パスの前記組の１つを覆うように、ページ７の表面に取り付けられる。材料を絶縁する薄い層は、前記ストリップと前記パスとの間の電気的接触を避けるために、これらの重なり合う領域に用いることができる。
【００４７】
ここで、閉じた見開きの部分であるページの後ろの端を考慮する。ここで、本を開くときに、ページの後ろの端は導電性ストリップにより接触される。図１および図４で説明されたように、本のフロントページ７に関連する前記導電性ストリップ３は、本の第１半分における見開き１０へ本を開くときに、それぞれの閉じた見開き１３のフロントページ１２の後方の端上に配置された位置１１におけるパスと接触するように配置される。他方では、本のバックページ８に関連する導電性ストリップ３は、本の第２半分における見開き１４へ本を開くときに、それぞれの閉じた見開き１７のバックページ１６の後方の端上に配置された位置１５におけるパスと接触するように配置される。図２および３においてよく示されたように、ストリップと導電性パスとの相互作用のような機構に適応させる１つの方法は、全てのパスか、少なくとも本のバックページに関連する導電性ストリップにより接触されるように形状が決められたパスの選別端の区域かのどれかが、本のフロントページに関連する導電性ストリップにより接触されるように形状が決められたパスとは異なった長さであることを確実にすることによりなされる。しかしながら、これは等しい長さの容器およびパスを必要とするものではなく、２つの実質的に同じパスの組を使用してもよい。
【００４８】
フロントページの導電性ストリップを伝導するために構成される１組の導電性パス、および、バックページのストリップを伝導する１組のパスが同様に配置され、接地電位に関連するパス９に対して対称的に配置される、実施の形態を図５および６に示す。フロントページの導電性ストリップに関連するパスおよびバックページの導電性ストリップに関連するパスの接触する端部は、前記パスが異なった導電性ストリップと接触するという事実に適応させるために、側面に沿ってお互いに相殺される。上記形状の明白な利点には、簡素さ、簡単な実行および信頼性が含まれる。
【００４９】
図１〜７に説明された実施の形態では、導電性パスの形態は、フィルム自身が背表面に取り付けられる柔軟で薄いフィルム上に配置された導電性トレースである。しかしながら、他の形状が、当然可能であることを理解すべきである。例えば、前記トレースは、本の背表面に、直接配置することができるし、あるいは、ホットスタッピングされた金属ラインまたは金属ワイヤの形態を採用することができる。同様に、前記トレースは、一般的に、銀、インク、カーボンまたは他の導電性材料で形成されるが、非導電性材料と導電性材料との組み合わせで形成されてもよい。
【００５０】
既に述べたように、本の特定の見開きを識別することは、対応するパスの組み合わせを有している少なくとも１つの導電性ストリップの相互作用により閉じた回路の独自の組み合わせを識別することに基づいている。第１実施の形態では、特定の機構は、接地につながり、且つ接触した各パス上に地電位を押し付けるストリップに関連していた。しかしながら、導電性パスからの電気信号を処理することに使用することができる他の機構が存在している。異なった機構を使用する本発明の第２実施の形態の一例は、図５〜７に示されている。第２実施の形態では、見開きへ本を開いたときに、導電性ストリップは、一回に１つのパスだけと接触するということに注目することが重要である。１つの導電性ストリップ（図６）、または、両方の導電性ストリップ（図７）により接触される前記パスと共通して、各パスは、独自の長さを有し、これにより、独自の抵抗を有する。この場合において、処理ＩＣ５は、接触したパスの独自の抵抗を測定し、前記パスに対応する見開きを識別するように配置される。技術を有する聞き手は、各パスの独自の抵抗は、独自の長さだけではなく、パス体積の厚さおよび幅を含んでいる他の要因、ならびに、使用されたパスの固有の構築により定められてもよい、ということを認識するだろう。後者要因は、構成要素材料の具体的な伝導性、ならびにパスを形成するために使用された非導電性パス材料に対して変わる導電性の割当量の両方を含むであろう。もちろん、これらの全ての要因を、別々に、または、組み合わせにて、独自の既知の抵抗のパスを定めるために使用していてもよい。また、１つのパスを接触させる代わりに、導電性ストリップは、１つのパスよりも多い組み合わせと接触するように配置させることができることに注目すべきである。ここで接触されたパスのそれぞれの組み合わせは、対応する本の見開きを独自に識別するように、独自の抵抗を有している。
【００５１】
また、図６および図７に説明された形状は、本発明の第１および第２実施の形態の両方を説明するのに適しているということに注目すべきである。特定の実施の形態は、（ｉ）トレース２が導電性材料で形成され、見開きが、特定の接触されたトレースに押し付けられた地電位を識別することにより識別されるか、（ｉｉ）トレース２が抵抗の材料で形成され、見開きが、ストリップ３により接触されるときに、接触されたトレースの抵抗を識別することにより識別されるかどうかに基づいている。
【００５２】
図８に説明された装置において、前記接点手段の形態は、本の背表面にバーコードのようなセット（bar code-like sets）を定める導電表面４である。各導電性パス２の選別端は、本の各側面上の１つに配置された２つのゼブラタイプ（zebra-type）コネクターの内の１つにつながっている。技術を有する聞き手が気付いているように、このタイプのコネクターは、導電表面４のバーコードタイプセットとの接触をもたらすのに特に適している綿密に間隔を置いて配置された複数の電気端子を含んでいる。また、別々の導電性リードを含んでいる他の類似したコネクターを、本願に用いることができる。上記装置は、特定の見開きへ本を開くときに、一組の独自の表面が１つのゼブラタイプコネクターの内部に、パスの予め定められた独自の組み合わせと接触するようになされる。
【００５３】
一般に、各組の導電表面は、予め定められたサイズおよび／または場所の独自の組み合わせとなっているが、同じバーコード、または、導電表面の組み合わせを、第２の導電性ストリップにより再使用することができるということが、明らかになるであろう。ＩＣが、同じ組み合わせが異なったストリップに関連しているという事実を識別するように構成されている限りにおいてはそうである。改めて重要なのは、各見開きが、見開きを識別するためにＩＣを用いることにより識別することができる信号の独自の組み合わせに関連していることである。各側面上における、１つのゼブラタイプコネクター、または個々または同時に導電表面を接触させることができる１つよりも多いゼブラタイプコネクターの使用もまた可能であるということが明白である。
【００５４】
図９において、前記接点手段の形態は、本の背表面の中にまたは本の背表面に平行して配置された導電表面４である。図６および図７と同様に、導電性ストリップ４とパス２との間の接触が、２つの異なったやり方で使用することができる装置を図９に示す。第１実施の形態のように、ストリップ４が接地とつながるならば、特定の見開きへ本を開くことにより、一対の導電性パスの選択された組み合わせが接地につながる。ここで、前記一対の導電性の選択された組み合わせは、ＩＣにより見開きを識別するために使用することができる回路の独自の組み合わせを閉じるであろう。しかしながら、図９に示された各一対の導電性パスは、予め定められた独自の抵抗の回路を定め、ストリップ４は、回路を閉じるために使用されるだけならば、導電性ストリップ４とパス２の接触に起因する閉じた回路は、ＩＣにより、回路の抵抗を測定するため、および、前述のやり方で、対応する見開きを識別するために、使用することができる。さらにまた、独自の抵抗は、各一対に含まれた少なくとも１つの導電性パスの、長さ、厚さ、幅、または、材料により定めることができる。ここで、これらの要因は、別々か、組み合わせるかの何れかにより利用することができる。
【００５５】
もう１つ別の実施の形態は、図１０に開示されている。さらにまた、独自の長さの導電性パスがある。特に、これらの「プロセス」端は、プロセスＩＣ５とつながっていない。導電表面３はＩＣとつながっているが、これらは接地とつながっていない。導電表面３は、見開きへ本を開いているときに、導電表面が予め定められた長さの単導電性パスの端と接触するように配置される。ＩＣおよび導電表面は、接触したパスに沿って電磁パルスを送信し、復帰信号を受信するように構成される。各パスが独自の長さを有しているので、各パスに沿って電磁パルスの帰路時間は異なっている。従って、プロセスＩＣ５は、本が開く対応する見開きを判断するように、前記パルスの帰路時間を算出し、移動した長さを測定し、接触した導電性パスを識別するように配置される。
【００５６】
ボードブックが奇数の見開きを含むならば、本を中央見開きページに向かって開くときに、図１に説明されたように、導電性ストリップが本の背表面を越えて広がるので、突き出た導電性ストリップを含んでいるほとんどの実施の形態は、適切に機能しないことに注目することができる。この状況では、本の正面か裏面の何れかにスペーサーを挿入することにより、導電性ストリップの相対位置を相殺し、中央見開きページへ本を開くときに、スペーサーを少なくとも１つの導電性パスで接触させることができる。
【００５７】
本が開いた見開きを識別すると、プロセス手段は、見開きに関連する少なくとも１つの音声、視覚、または音声／映像表現を引き起こすことができる。前記表現には、テキストを読み込むこと、歌を歌うこと、音楽を演奏すること、またはそれらの任意の組み合わせを含ませることができる。テキスト、音楽および歌は、通常、特定の見開きの内容に直接関連しているが、このことは一揃いとなるようにしなくてもよく、前記表現を、完全に不規則に再生することができる。それに加えて、本の中で構築されるまたは本から完全に離れているが、プロセス手段により間接的に制御される長談義（screed）を、さらにまた、見開きの内容に関係するまたは関係しない映像を見せるために使用することができる。さらに、プロセス手段は、本に関係する機械構造の一部の機械的な動きを作動させることができる。前述構造の一例は、テキスト、または、音声／映像表現に関与する他の物を読み込む機械的な特徴である。さらにまた、機械的な装置は、本のなくてはならない部分か、プロセス手段により間接的に調節された独立の装置かのどれかにすることができる。
【００５８】
本発明によるブックボード用の本の見開きを識別する装置は、特定の見開きへ自動的に本を開くことを引き起こす、見開き識別のために簡素で信頼できるシステムを提供する、ということが明確であるべきである。
【００５９】
本発明の上記実施の形態は、ボードブックに関連して記載されているが、それらに制限されず、本発明が、ページの厚さにより、接触および探知することができる寸法の導電表面を配置可能にする任意の類似した応用に使用されていてもよいということを理解すべきである。
【００６０】
本明細書に用いられる、用語「含んでいる」（および、文法上にかなったその変化）は、「備えている」または「有している」に用いられ、「だけから成る」という限定された意味に用いられない。
【図面の簡単な説明】
【００６１】
【図１】本発明の第１実施の形態による、本の見開きを識別する装置における、導電性ストリップと導電性パスの１つの形状との相互作用を示す概略斜視図である。
【図２】本発明の第１実施の形態による、本の見開きを識別する装置の性質を持つ導電性パスの２種類の形状を示す概略図である。
【図３】本発明の第１実施の形態による本の見開きを識別する装置を有している本の背表面の概略側面図であって、導電性パスは図２に示された第２の形状である。
【図４】本発明の第１実施の形態による本の見開きを識別する装置における本の背表面において、２つの導電性パスと２つの導電性トレースとの電位相互作用を示す概略斜視図である。
【図５】本発明の第１実施の形態による、本の見開きを識別する装置の性質を持つ導電性パスのもう１つ別の形状を示す概略図である。
【図６】本発明の第１実施の形態による本の見開きを識別する装置を有している本の背表面を示す概略斜視図であって、導電性パスは図５に示された第２の形状である。
【図７】本発明の第１実施の形態による本の見開きを識別する装置を示す概略斜視図であって、導電性パスは第３の形状である。
【図８】本発明の第２実施の形態による、本の見開きを識別する装置を示す概略斜視図である。
【図９】本発明の第３実施の形態による、本の見開きを識別する装置を示す概略斜視図である。
【図１０】本発明の第４実施の形態による、本の見開きを識別する装置を示す概略斜視図である。
【図１】
2009506905.tif 000003
【図２】
2009506905.tif 000004
【図３】
2009506905.tif 000005
【図４】
2009506905.tif 000006
【図５】
2009506905.tif 000007
【図６】
2009506905.tif 000008
【図７】
2009506905.tif 000009
【図８】
2009506905.tif 000010
【図９】
2009506905.tif 000011
【図１０】
2009506905.tif 000012